(57)【要約】【課題】ユーザの操作性の低下を招来することなく、電話番号入力による地点検索をより適切に行えるようにする。【解決手段】ナビユニット１は、ユーザ所有の携帯電話機１０に記録されている電話帳データや着信履歴データなどの情報を読み出して第１の情報記憶装置６に記憶させておく。そして、電話番号検索による地点検索時に、ユーザが入力装置２を用いて電話番号を入力すると、中央演算処理装置５が、ユーザ所有の携帯電話機１０から読み出して第１の情報記憶装置６に記憶させた情報に基づいて、入力装置２から入力された電話番号による地点検索に制限を加えるか否かを判定し、個人宅の検索の制限／制限解除を自動的に切り替える。【選択図】図１
2006285917.tif 000002
【特許請求の範囲】
【請求項１】
ユーザが入力した電話番号に基づいて当該電話番号に対応した地点を検索する電話番号検索機能を有するナビゲーション装置において、
ユーザによる電話番号の入力を受け付ける入力手段と、
ユーザが所有する携帯電話機から当該携帯電話機に記憶されている情報を読み出す携帯情報読み出し手段と、
前記携帯情報読み出し手段によって読み出された情報に基づいて、前記入力手段に入力された電話番号に基づく地点検索を制限するか否かを判定する判定処理手段とを備えることを特徴とするナビゲーション装置。
【請求項２】
前記判定処理手段は、前記入力手段に入力された電話番号が個人宅の番号である場合に当該電話番号に基づく地点検索を制限し、当該電話番号が前記携帯電話機に記憶されている電話帳データに登録されている電話番号であって且つ過去に着信があった電話番号と一致する場合にのみ、前記地点検索の制限を解除することを特徴とする請求項１に記載のナビゲーション装置。
【請求項３】
前記判定処理手段は、前記入力手段に入力された電話番号が前記携帯電話機に記憶されている電話帳データに登録されている電話番号であって且つ過去に着信があった電話番号と一致する場合であっても、過去に着信があったときの通話時間が所定時間未満の場合には、当該電話番号に基づく地点検索を制限することを特徴とする請求項２に記載のナビゲーション装置。
【請求項４】
前記判定処理手段は、前記入力手段に入力された電話番号が個人宅の番号である場合に当該電話番号に基づく地点検索を制限し、当該電話番号が前記携帯電話機に記憶されている電話帳データに登録されている電話番号であって且つ過去に受信があった電子メールの送信元アドレスと関連付けて記憶されている電話番号と一致する場合にのみ、前記地点検索の制限を解除することを特徴とする請求項１に記載のナビゲーション装置。
【請求項５】
前記判定処理手段は、前記入力手段に入力された電話番号が携帯電話機の番号である場合には、当該電話番号と関連付けて前記電話帳データに登録されている他の電話番号の有無を判定し、前記他の電話番号があると判定した場合には、当該他の電話番号に基づく地点検索を行うことを特徴とする請求項２乃至４の何れかに記載のナビゲーション装置。
【請求項６】
ユーザが入力した電話番号に基づいて当該電話番号に対応した地点を検索する地点検索方法において、
ユーザが所有する携帯電話機から当該携帯電話機に記憶されている情報を読み出す第１のステップと、
ユーザによる電話番号の入力を受け付ける第２のステップと、
前記第１のステップで読み出した情報に基づいて、前記第２のステップで入力された電話番号に基づく地点検索を制限するか否かを判定する第３のステップとを有することを特徴とする地点検索方法。
【発明の詳細な説明】
【技術分野】
【０００１】
本発明は、ユーザが入力した電話番号に基づいて地点検索を行う機能を有するナビゲーション装置及び入力された電話番号に基づいて地点検索を行う地点検索方法に関する。
【背景技術】
【０００２】
従来、例えば車両に搭載されるナビゲーション装置において、誘導経路の目的地設定などを行う際の地点検索の手法の１つとして、ユーザが入力した電話番号に対応した地点を検索する電話番号検索と呼ばれる手法が提案されている。このような電話番号検索機能を有するナビゲーション装置では、いわゆるタウンページ（登録商標）やハローページ（登録商標）といった住所データと電話番号データとが対応付けられたデータに基づいて、ユーザが入力した電話番号に対応する地点を検索し、検索した施設名や住所、その周辺地図等の詳細な情報をディスプレイに表示させたり、誘導経路の目的地に設定したりといった処理を行えるようにしている。
【０００３】
このような電話番号検索では、ユーザが入力した電話番号が個人宅の電話番号である場合に、この電話番号に対応した地点を検索して詳細情報の表示などを行えるようにすることはプライバシー保護の観点からは望まくないとの指摘があり、近年では、ユーザが入力した電話番号が上述したハローページ（登録商標）のみに掲載されているような個人宅のものである場合には、地点検索に制限をかけて、詳細情報の表示などを行えないようにするといった対策が行われている。
【０００４】
しかしながら、ユーザが入力した電話番号が個人宅である場合に無条件で地点検索を制限するようにしたのでは、例えば、ユーザが親しい知人宅等を誘導経路の目的地として設定したいと考えている場合に電話番号に基づく検索を行うことができず、利便性が損なわれるといった問題が生じる。
【０００５】
そこで、電話番号の入力とともにこの電話番号の加入者を特定する氏名、名称などの特定情報も入力させるようにして、入力された電話番号が個人宅のものであっても、電話番号とともに入力された特定情報が、予め電話番号に対応付けて記憶されている特定情報と一致する場合には、地点検索の制限を行わないようにするといった技術も提案されている（例えば、特許文献１参照。）。
【特許文献１】特開２００１−３４３２５１号公報
【発明の開示】
【発明が解決しようとする課題】
【０００６】
しかしながら、上述した特許文献１に記載された従来の技術においては、電話番号と対応付ける特定情報を事前に登録しておく必要があり、また、電話番号入力による地点検索時に電話番号と合わせて特定情報を入力する必要があることから、ユーザに煩わしい操作を強いることになり、操作性が低下するという問題があった。
【０００７】
本発明は、以上のような従来の実情に鑑みて創案されたものであって、ユーザの操作性の低下を招来することなく、電話番号入力による地点検索をより適切に行うことができるナビゲーション装置及び地点検索方法を提供することを目的としている。
【課題を解決するための手段】
【０００８】
本発明は、前記目的を達成するために、ユーザが所有する携帯電話機から電話帳データなどの情報を読み出して、ユーザから地点検索のための電話番号の入力があったときに、携帯電話機から読み出した情報に基づいて、入力された電話番号に基づく地点検索を制限するか否かを判定するようにしている。
【発明の効果】
【０００９】
本発明によれば、電話番号の加入者を特定するための特定情報の登録や入力などのような煩雑な操作をユーザに強いることなく、ユーザが入力した電話番号に基づく地点検索を制限するか否かを自動的に切り替えることが可能となるので、ユーザの操作性の低下を招来することなく、電話番号入力による地点検索を適切に行うことができる。
【発明を実施するための最良の形態】
【００１０】
以下、本発明の具体的な実施形態について、図面を参照しながら詳細に説明する。
【００１１】
本実施形態のナビゲーション装置は、車両に搭載されて地図の表示や車両の誘導経路の探索、誘導経路の案内などを行うものであり、特に、誘導経路の目的地設定などを行う際の地点検索の機能として、ユーザが入力した電話番号に基づいて、当該電話番号に対応した地点を検索する電話番号検索機能を有するものである。また、本実施形態のナビゲーション装置は、ユーザが所有する携帯電話機の接続が可能とされており、例えばこの携帯電話機を利用した通信により車両外部のサーバとの間で情報の授受などを行うことができるようになっている。
【００１２】
図１は、本実施形態のナビゲーション装置の概略構成を示す図である。この図１に示すように、本実施形態のナビゲーション装置は、本体部分であるナビユニット１にユーザインターフェースとなる入力装置２や表示装置３が接続され、さらにユーザ所有の携帯電話機１０が装着されるアダプタ４が接続された構成となっている。その他、ナビユニット１には、車両の現在地を検出するためのＧＰＳ受信機など、一般的なナビゲーション装置の機能を実現する上で必要な各種装置が接続されるが、これらは本発明に直接関わる部分ではないので、図１では図示を省略している。
【００１３】
ナビユニット１は、本実施形態のナビゲーション装置における上述した各種の機能を実現するものであるが、特に、本実施形態のナビゲーション装置では、このナビユニット１が、上述した電話番号検索を行う際に、アダプタ４に装着されたユーザ所有の携帯電話機１０から当該携帯電話機１０に記憶されている情報を読み出し、この携帯電話機１０から読み出した情報に基づいて、ユーザが入力装置２から入力した電話番号に基づく地点検索を制限するか否かを判定するようにしている。
【００１４】
具体的には、本実施形態のナビゲーション装置におけるナビユニット１は、以上のような電話番号検索を実現するための構成として、各部を統括的に制御して各種処理を実行する中央演算処理装置５と、書き換え可能な第１の情報記憶装置６と、書き換え不可能な第２の情報記憶装置７とを備える。
【００１５】
中央演算処理装置５は、入力装置２からユーザが入力した電話番号を示すキー入力信号を取得すると、第２の情報記憶装置７に記憶されている電話番号データＤ１，Ｄ２を参照して、ユーザが入力した電話番号に対応した地点の検索を行う。そして、中央演算処理装置５は、検索した地点の施設名や住所、その周辺地図等の詳細な情報を表示装置３に表示させたり、ユーザ操作に従って検索した地点を誘導経路の目的地に設定したりといった処理を行う。このとき、第１の情報記憶装置６には、ユーザ所有の携帯電話機１０から読み出された電話帳データや着信履歴データ等が記憶されており、中央演算処理装置５は、この携帯電話機１０から読み出されて第１の情報記憶装置６に記憶された情報に基づいて、電話番号入力による地点検索に制限を加えるか否かを判定する。すなわち、ユーザが入力した電話番号が個人宅のものである場合、基本的には地点検索に制限をかけて詳細情報の表示などを行えないようにするが、ユーザ所有の携帯電話機１０から読み出された情報に基づいて、ユーザが入力した電話番号が親しい知人宅などの電話番号であると判断できる場合には、地点検索の制限を解除して、詳細情報の表示なども行えるようにしている。
【００１６】
第１の情報記憶装置６は、例えばＲＡＭ（Random Access Memory）やハードディスク等から構成され、アダプタ４に装着されたユーザ所有の携帯電話機１０から当該携帯電話機１０の電話帳データや着信履歴データ等が読み出されたときに、これらの情報を一時的に記憶するために設けられる。この第１の情報記憶装置６に記憶されたデータは、中央演算処理装置５によって上述した電話番号検索が行われる際に読み出される。
【００１７】
第２の情報記憶装置７は、例えばＤＶＤ（Digital Versatile Disc）やハードディスク等から構成され、表示装置３に地図画像を表示させるための地図データの他、いわゆるタウンページ（登録商標）のように施設や店舗等の電話番号をその名称や住所等と対応付けて収録した電話番号データＤ１や、いわゆるハローページ（登録商標）のように個人宅の電話番号をその氏名や住所等と対応付けて収録した電話番号データＤ２を記憶するために設けられる。この第２の情報記憶装置７に記憶されたデータは、必要に応じて中央演算処理装置５によって読み出される。
【００１８】
なお、ここでは第１の情報記憶装置６と第２の情報記憶装置７とをそれぞれ個別の記憶装置として説明したが、これらを１つの記憶装置で実現することも可能である。すなわち、１つの記憶装置に書き換え可能な記憶領域と書き換え不可能な記憶領域を設け、書き換え可能領域にユーザ所有の携帯電話機１０から読み出した情報を記憶させ、書き換え不可領域に地図データや電話番号データＤ１，Ｄ２を記憶させるようにしてもよい。
【００１９】
図２は、以上のように構成されるナビゲーション装置において、電話番号検索を行う場合の大まかな処理の流れを示すフローチャートである。本実施形態のナビゲーション装置で電話番号検索を行う場合、まず、ステップＳ１において、入力装置２からのユーザの入力操作に応じて、中央演算処理装置５の制御のもとで、電話番号検索を行うための電話番号検索画面を表示装置３に表示させる。そして、ステップＳ２において、この電話番号検索画面を参照したユーザから入力装置２を用いた電話番号の入力が行われると、次のステップＳ３において、電話番号検索モードへと移行する。
【００２０】
ナビゲーション装置においては、このようにして電話番号検索モードへと移行すると、中央演算処理装置５の制御のもとで、図３に示すような一連の手順にしたがって、電話番号に基づく地点検索を行う。
【００２１】
まず、中央演算処理装置５は、同図に示すように、ステップＳ１１において、第１の情報記憶装置６を参照し、当該第１の情報記憶装置６における所定の記憶領域に、ユーザ所有の携帯電話機１０から読み出された電話帳データ及び着信履歴データが記憶されているか否かを判定する。
【００２２】
ここで、中央演算処理装置５は、ユーザ所有の携帯電話機１０に記憶されている電話帳データ及び着信履歴データが双方とも第１の情報記憶装置６に記憶されていると判定した場合には、ステップＳ１３へと処理を移行する一方で、電話帳データ又は着信履歴データのいずれか又は双方が第１の情報記憶装置６に記憶されていないと判定した場合には、ステップＳ１２において、アダプタ４に装着されたユーザ所有の携帯電話機１０との間で通信を行い、当該携帯電話機１０に記憶されている電話帳データ及び／又は着信履歴データを読み出して第１の情報記憶装置６に記憶させ、ステップＳ１３へと処理を移行する。
【００２３】
次に、中央演算処理装置５は、ステップＳ１３において、ユーザが入力装置１４を用いて入力した電話番号と同じ番号が、第１の情報記憶装置６に記憶されている電話帳データに登録されているか否かを判定する。
【００２４】
ここで、中央演算処理装置５は、入力された電話番号と同じ番号が、第１の情報記憶装置６に記憶されている電話帳データに登録されていないと判定した場合には、ステップＳ１４へと処理を移行し、第２の情報記憶装置７に記憶されている施設や店舗等の電話番号が収録された電話番号データＤ１のみを対象として、電話番号に基づく検索処理を行う。すなわち、中央演算処理装置５は、入力された電話番号と同じ番号が電話帳データに登録されていないと判定した場合には、その電話番号はユーザと親しい知人等の個人宅のものではないと判断して、プライバシー保護の観点から、第２の情報記憶装置７に記憶されている個人宅の電話番号が収録された電話番号データＤ２を対象とはせずに検索処理を行う。
【００２５】
そして、中央演算処理装置５は、ステップＳ１５において、検索の結果、該当するデータがあった場合には、その地点の情報を含む地図データを第２の情報記憶装置７から読み出して、当該地点を地図上で識別可能に表示装置３に表示させる一方で、該当するデータがなかった場合には、例えば市外局番等の代表地点の情報を含む地図データを第２の情報記憶装置７から読み出して、当該地点を地図上で識別可能に表示装置３に表示させ、一連の電話番号検索モードを終了する。
【００２６】
一方、ステップＳ１３での判定の結果、入力された電話番号と同じ番号が、第１の情報記憶装置６に記憶されている電話帳データに登録されていると判定した場合には、中央演算処理装置５は、次のステップＳ１６において、入力された電話番号と同じ番号が、第１の情報記憶装置６に記憶されている着信履歴データに登録されているか否かを判定する。
【００２７】
そして、中央演算処理装置５は、入力された電話番号と同じ番号が、第１の情報記憶装置６に記憶されている着信履歴データに登録されていないと判定した場合には、ステップＳ１４へと処理を移行し、第２の情報記憶装置７に記憶されている電話番号データＤ１のみを対象として電話番号に基づく検索処理を行い、ステップＳ１５において、検索の結果に応じた内容を表示装置１５に表示させ、一連の電話番号検索モードを終了する。すなわち、中央演算処理装置５は、入力された電話番号と同じ番号が電話帳データに登録されている場合であっても、着信履歴データには登録されていないと判定した場合にも、その電話番号はユーザと親しい知人等の個人宅のものではないと判断して、プライバシー保護の観点から、第２の情報記憶装置７に記憶されている個人宅の電話番号が収録された電話番号データＤ２を対象とはせずに検索処理を行う。
【００２８】
一方、ステップＳ１６での判定の結果、入力された電話番号と同じ番号が、第１の情報記憶装置６に記憶されている着信履歴データに登録されていると判定した場合には、中央演算処理装置５は、次のステップＳ１７において、その電話番号が“０９０”等から始まる携帯電話機の番号であるか否かを判定する。これは、入力された電話番号が携帯電話機の番号である場合には、ハローページ（登録商標）のような電話番号データＤ２には収録されていないためである。中央演算処理装置５は、入力された電話番号が携帯電話機の番号であると判定した場合には、後述する携帯電話機番号入力処理へと移行する一方で、入力された電話番号が携帯電話機の番号でないと判定した場合には、ステップＳ１８へと処理を移行する。
【００２９】
そして、中央演算処理装置５は、ステップＳ１８において、第２の情報記憶装置７に記憶されている電話番号データＤ１，Ｄ２の双方を対象として、電話番号に基づく検索処理を行う。すなわち、中央演算処理装置５は、入力された電話番号と同じ番号が電話帳データに登録されており且つ着信履歴データにも登録されていると判定した場合には、その電話番号はユーザと親しい知人等の個人宅のものであると判断して、地点検索についての制限を解除し、電話番号データＤ１のみならず、電話番号データＤ２も対象として検索処理を行う。
【００３０】
そして、中央演算処理装置５は、ステップＳ１９において、検索の結果、該当するデータがあった場合には、その地点の情報を含む地図データを第２の情報記憶装置７から読み出して、当該地点を地図上で識別可能に表示装置３に表示させる一方で、該当するデータがなかった場合には、例えば市外局番等の代表地点の情報を含む地図データを第２の情報記憶装置７から読み出して、当該地点を地図上で識別可能に表示装置３に表示させ、一連の電話番号検索モードを終了する。
【００３１】
以上のように、本実施形態のナビゲーション装置においては、中央演算処理装置５の制御のもとで、携帯電話機１０に記憶されている電話帳データに登録されている電話番号であり且つ過去に着信があった電話番号が入力された場合にのみ、個人宅であっても電話番号に基づく地点検索の対象として検索処理を行うようにしている。
【００３２】
なお、ナビゲーション装置においては、上述した電話番号検索モードのステップＳ１７において、ユーザが入力装置１４を用いて入力した電話番号が携帯電話機の番号であると判定した場合には、中央演算処理装置５の制御のもとで、図４に示すような一連の手順からなる携帯電話機番号入力処理へと移行する。この携帯電話機番号入力処理は、入力された電話番号が携帯電話機の番号であるときに、当該携帯電話の番号と関連付けてユーザ所有の携帯電話機１０の電話帳データに登録されている他の電話番号がある場合に、この電話番号に基づく地点検索を行うためのものである。
【００３３】
すなわち、中央演算処理装置５は、携帯電話機番号入力処理に移行すると、まず、ステップＳ２１において、第１の情報記憶装置６に記憶されている電話帳データを参照して、入力された携帯電話機の番号が登録されているメモリ番号に、他の電話番号が登録されているか否かを判定する。メモリ番号は、互いに関連性のあるデータを１まとまりのデータとして記憶させる際に、これら１まとまりのデータを特定するために付与される番号である。
【００３４】
ここで、中央演算処理装置５は、入力された携帯電話機の番号が登録されているメモリ番号に他の電話番号が登録されていると判定した場合には、ステップＳ２２において、入力された携帯電話機の番号を、同じメモリ番号に登録されている当該他の電話番号に置き換えて、ステップＳ２６へと処理を移行する。
【００３５】
一方、中央演算処理装置５は、入力された携帯電話機の番号が登録されているメモリ番号に他の電話番号が登録されていないと判定した場合には、ステップＳ２３において、入力された携帯電話機の番号に対応した氏名又は名称と同一の氏名又は名称で、他のメモリ番号に登録されている他の電話番号があるか否かを判定する。
【００３６】
ここで、中央演算処理装置５は、他のメモリ番号に登録されている他の電話番号がないと判定した場合には、携帯電話機の番号でしか登録されておらず、地点検索を行うことができないことから、ステップＳ２４において、該当する地点が存在しない旨を表示装置３に表示させ、一連の電話番号検索モードを終了する。
【００３７】
一方、中央演算処理装置５は、他のメモリ番号に登録されている他の電話番号があると判定した場合には、ステップＳ２５において、入力された携帯電話機の番号を、他のメモリ番号に登録されている当該他の電話番号に置き換えて、ステップＳ２６へと処理を移行する。
【００３８】
そして、中央演算処理装置５は、ステップＳ２６において、入力された携帯電話機の番号から置き換えた他の電話番号が“０９０”等から始まる携帯電話機の番号であるか否かを判定する。その結果、置き換えた電話番号が携帯電話機の番号であると判定した場合には、置き換えられた電話番号、すなわち、最初に入力された携帯電話機の番号を除いて、再度ステップＳ２１からの携帯電話機番号入力処理を繰り返す。一方、置き換えた電話番号が携帯電話機の番号でないと判定した場合には、置き換えられた電話番号を除いて、図３に示した電話番号検索モードへと移行する。
【００３９】
このように、本実施形態のナビゲーション装置においては、ユーザが入力装置１４を用いて入力した電話番号が携帯電話機の番号であった場合でも、その携帯電話機の番号に関連付けて自宅等の番号がユーザ所有の携帯電話機１０の電話帳データに登録されていれば、携帯電話機の番号を自宅等の番号に置き換えて地点検索を行うことができるようにしている。
【００４０】
なお、本実施形態のナビゲーション装置においては、ユーザ所有の携帯電話機１０から当該携帯電話機１０に記憶されている電子メールの受信履歴データを読み出すこともでき、この電子メールの受信履歴データに基づいて、過去に受信があった電子メールの送信元アドレスが登録されているメモリ番号に登録された電話番号を参照することもできる。したがって、本実施形態のナビゲーション装置においては、中央演算処理装置５の制御のもとで、携帯電話機１０に記憶されている電話帳データに登録されている電話番号であり且つ過去に着信があった電話番号と同一の電話番号が入力された場合だけではなく、携帯電話機１０に記憶されている電話帳データに登録されている電話番号であり且つ過去に受信があった電子メールの送信元アドレスと関連付けて記憶されている電話番号と同一の電話番号が入力された場合にも、地点検索の制限を解除して個人宅を対象とした地点検索を行えるようにすることも可能である。
【００４１】
また、本実施形態のナビゲーション装置においては、中央演算処理装置５の制御のもとで、着信履歴データに登録されている電話番号であっても、そのときの通話時間が会話を成立させるにたる所定時間に満たない場合には、会話が成立していないものとみなして、地点検索の制限を解除しないようにすることも可能である。これにより、着信履歴を残す目的で第三者に電話をかけさせて、第三者の詳細情報を取得できるようにするといった悪用を防止することができる。
【００４２】
以上詳細に説明したように、本実施形態のナビゲーション装置においては、中央演算処理装置５の制御のもとで、アダプタ４に装着されたユーザ所有の携帯電話機１０に記憶されている情報を読み出し、読み出した情報に基づいて、入力装置２からユーザが入力した電話番号に基づく地点検索の対象を制限するか否かを判定するようにしているので、電話番号と対応付ける特定情報を事前に登録したり、電話番号入力による地点検索時に電話番号と合わせて特定情報を入力したりといった煩雑な操作をユーザに強いることなく、ユーザが入力した電話番号に基づく地点検索を制限するか否かを自動的に切り替えることができ、ユーザの操作性の低下を招来することなく、電話番号入力による地点検索を適切に行うことができる。
【００４３】
なお、以上説明したナビゲーション装置は本発明の一適用例であり、本発明が以上の例に限定されるものではなく、本発明に係る技術的思想を逸脱しない範囲であれば具体的なハードウェア構成などにおいて種々の変更が可能であることは勿論である。
【図面の簡単な説明】
【００４４】
【図１】本発明を適用したナビゲーション装置の概略構成を示すブロック図である。
【図２】本発明を適用したナビゲーション装置において電話番号検索を行う際の一連の処理の流れを示すフローチャートである。
【図３】本発明を適用したナビゲーション装置での電話番号検索モードにおける一連の処理の流れを示すフローチャートである。
【図４】電話番号検索モードにおいて携帯電話機番号入力処理へと移行した際の一連の処理の流れを示すフローチャートである。
【符号の説明】
【００４５】
１  ナビユニット
２  入力装置
３  表示装置
４  アダプタ
５  中央演算処理装置
６  第１の情報記憶装置
７  第２の情報記憶装置
１０  携帯電話機
【図１】
2006285917.tif 000003
【図２】
2006285917.tif 000004
【図３】
2006285917.tif 000005
【図４】
2006285917.tif 000006